(57)【要約】  【課題】ビーズに通すワイヤーを鈍角又は円弧状に曲げることでビーズの抜け止めとし、ビーズから突出したワイヤーもデザイン化可能とする。  【解決手段】ビーズの中心穴に挿通したワイヤーを前記ビーズの外部で鈍角に曲げてあると、ビーズの脱落を防止できる。しかも鈍角に曲げてあるため、ビーズの下に垂れて目立ちやすく、デザインの一部として機能する。従って、例えば鈍角に曲げた部分と先端との間を加工すると、光の反射方向が変化するため、美的に見える。また、前記ビーズが抜けない曲率で湾曲させて脱落防止にすると、湾曲形状がデザインとして機能し、人目を引きやすい。複数のビーズの中心穴にワイヤーを挿通する場合は、中心穴の内径のより小さいビーズを前記ワイヤーの先端寄りに配置するとよい。【選択図】図１
2015203170.tif 000002
【特許請求の範囲】
【請求項１】
ビーズの中心穴に挿通したワイヤーを前記ビーズの外部で鈍角に曲げ又は前記ビーズが抜けない曲率で湾曲させてあることを特徴とするビーズの脱落防止形状。
【請求項２】
複数のビーズの中心穴にワイヤーを挿通した装飾具であって、中心穴の内径のより小さいビーズを前記ワイヤーの先端寄りに配置すると共に、前記ビーズの外部でワイヤーを脱落防止形状に形成することを特徴とする請求項１に記載のビーズの脱落防止形状である。
【請求項３】
前記ワイヤーを鈍角に曲げ又は前記ビーズが抜けない曲率で湾曲させた位置より先端寄りのワイヤーを装飾的に加工してあることを特徴とする請求項１又は請求項２に記載のビーズの脱落防止形状。
【請求項４】
ワイヤーをジグザグに曲げて、その一方向のみにビーズを設け、他の一方向はビーズを設けないで開けておき、ワイヤーの少なくとも一端側に前記の脱落防止形状を設けてあることを特徴とする請求項１、請求項２又は請求項３に記載のビーズの脱落防止形状。
【発明の詳細な説明】
【技術分野】
【０００１】
本発明は、各種のビーズを脱落不能に支持する手段に関し、より詳しくは、ビーズに金属ワイヤーを通し、かつ僅かにすなわち鈍角に又は円弧状に曲げて脱落を防ぐ形状に関する。なおビーズは、耳飾りやバッグの装飾など各種の装飾に使用される。
【背景技術】
【０００２】
一般にビーズに開けられた中心穴に、針金状のワイヤーを通した上で、ワイヤーからビーズが脱落しないように、ワイヤーの端部をリング状に曲げたりＴ字状の脱落防止器を設けたりしている。
ところが、このような従来技術では、ワイヤー端部が露出して美観が損なわれたり、ワイヤー先端が肌に刺さったりする危険がある。また、ワイヤーとして、剛性が高いばね用ステンレス鋼線やピアノ線等が使用されていたため、加工がし難く、特に、小さなビーズを使用する場合は、そのビーズの径にあわせて、端部を加工しなければならないため、よりその加工が難しかった。
このような問題を解決するべく、特許文献１のように、ワイヤーとして形状記憶合金を使用すると共に、前記ワイヤーの端部の屈曲した部分をビーズの通し穴の中に位置させ、この形状記憶合金ワイヤーの曲げにより発生する応力は、ワイヤー端部を通し穴の内面に押しつけ、それによってワイヤー端部が通し穴の内部で固定される。
【先行技術文献】
【特許文献】
【０００３】
【特許文献１】特開２０００−８０５４６
【発明の概要】
【発明が解決しようとする課題】
【０００４】
しかしながら、特許文献１のような技術では、ワイヤーが形状記憶合金に限られ、しかも使用温度が限定されるため、使用に際して注意を要する。さらに、ビーズからワイヤーが突出して、特殊な美的形状を形成するなどの装飾的工夫が不可能である。
本発明の技術的課題は、このような問題に着目し、ビーズに通すワイヤーを僅かに、すなわち鈍角又は円弧状に曲げることでビーズの抜け止めとし、ビーズから突出したワイヤーもデザインとして機能するようにする。
【課題を解決するための手段】
【０００５】
請求項１は、ビーズの中心穴に挿通したワイヤーを前記ビーズの外部で鈍角に曲げ又は前記ビーズが抜けない曲率で湾曲させてあることを特徴とするビーズの脱落防止形状である。
【０００６】
請求項２は、複数のビーズの中心穴にワイヤーを挿通した装飾具であって、中心穴の内径のより小さいビーズを前記ワイヤーの先端寄りに配置すると共に、前記ビーズの外部でワイヤーを脱落防止形状に形成することを特徴とする請求項１に記載のビーズの脱落防止形状である。
【０００７】
請求項３は、前記ワイヤーを鈍角に曲げ又は前記ビーズが抜けない曲率で湾曲させた位置より先端寄りのワイヤーを装飾的に加工してあることを特徴とする請求項１又は請求項２に記載のビーズの脱落防止形状である。
【０００８】
請求項４は、ワイヤーをジグザグに曲げて、その一方向のみにビーズを設け、他の一方向はビーズを設けないで開けておき、ワイヤーの少なくとも一端側に前記の脱落防止形状を設けてあることを特徴とする請求項１、請求項２又は請求項３に記載のビーズの脱落防止形状である。
【発明の効果】
【０００９】
請求項１のように、ビーズの中心穴に挿通したワイヤーを前記ビーズの外部で鈍角に曲げてあると、ビーズの脱落を防止できる。しかも鈍角に曲げてあるため、ビーズの下に垂れて目立ちやすく、デザインの一部として機能する。従って、例えば鈍角に曲げた部分と先端との間を加工すると、光の反射方向が変化するため、美的に見える。
また、前記ビーズが抜けない曲率で湾曲させて脱落防止すると、湾曲形状がデザインとして機能し、人目を引きやすい。
【００１０】
請求項２のように、複数のビーズの中心穴にワイヤーを挿通する場合は、中心穴の内径のより小さいビーズを前記ワイヤーの先端寄りに配置して、前記のような脱落防止形状を設けるので、前記鈍角に曲げたり湾曲させる場合に、直線に近づけることもでき、ワイヤーの形状をデザイン化するのに適している。
【００１１】
請求項３によると、前記ワイヤーを鈍角に曲げ又は前記ビーズが抜けない曲率で湾曲させた位置より先端寄りのワイヤーを装飾的に加工してあり、自由な形に加工できるので、装飾性が向上し、付加価値が高まる。
【００１２】
請求項４のように、ワイヤーをジグザグに曲げて、その一方向のみにビーズを設け、他の一方向はビーズを設けないで開けておき、ワイヤーの少なくとも一端側に前記の脱落防止形状を設けてあるので、ビーズを設ける場合のデザインがユニークで付加価値が向上する。
【図面の簡単な説明】
【００１３】
【図１】ワイヤーを鈍角に折り曲げる例として、「くの字」状に曲げる場合を示す断面図である。
【図２】中心穴の内径が異なる複数のビーズにワイヤーを挿通した実施形態である。
【図３】太さの異なる２本のワイヤーを異なるビーズに挿通した実施形態を示す側面図である。
【図４】ワイヤーのビーズから突出した部位を示す側面図である。
【図５】ワイヤーのビーズから突出した部位をデザイン化した側面図である。
【図６】ワイヤーの断面形状を例示した正面図である。
【図７】立方体状やジグザグ状などの複雑なデザインにした実施形態の側面図である。
【図８】円形や楕円形、分岐状などのバリエーションを持ったデザインを例示した側面図である。
【図９】鈍角の屈曲部をＶ字状に形成した断面図である。
【発明を実施するための形態】
【００１４】
次に本発明によるビーズの脱落防止形状が実際上どのように具体化されるか実施形態で説明する。図１は、ワイヤー１を鈍角に折り曲げた例てあり、「くの字」状に曲げてある。折り曲げて屈曲させる場合は、鈍角で有れば足りるが、ビーズ２が脱落しないことが条件である。また、ビーズ２の中心穴３の内径は、ワイヤー１の外径より僅かに大きい程度が適している。すなわち、ビーズ２が容易にスライドできる範囲で小径の方がよい。
このように、鈍角にワイヤー１を曲げてあるので、折り曲げ部分が脱落を阻止し、しかも鈍角に曲げてあるので、ビーズ２の外に突出した部分１１がビーズ２と一体的にデザイン化でき、加工したりもできる。
【００１５】
図２は、中心穴３の内径が３１、３２のように異なる複数のビーズ２１、２２にワイヤー１を挿通した実施形態であり、中心穴の内径のより小さいビーズ２１を前記ワイヤー１の先端寄りに配置し、ビーズ２１から突出した部分に脱落防止形状を設けてある。
すなわち、ビーズ２１から突出すると直ちに「くの字」状に曲げてあり、次いで逆方向に円弧状に曲げてある。そして余った部分１１は、図示実施形態では真っ直ぐに伸びているが、任意に曲げてデザイン的に表現してもよい。
【００１６】
図３は、太さの異なる２本のワイヤー１２、１３を異なる複数のビーズ２３…２４…に挿通した実施形態であり、ワイヤー１２、１３を弧状に湾曲させることで脱落を防止している。１４、１５が湾曲部位である。ビーズ２３…、２４…のように複数個であっても、大きな荷重が作用するわけでは無いので、曲率の小さな湾曲でも、脱落を防止できる。
細いワイヤー１３の先端を環状に形成して、その中に、太い方のワイヤー１２の先端を挿通してもよいが、単に交差させてもよい。
両ワイヤー１２、１３の上端は、耳たぶを挟む「つ」の字状のバネ部４の一端に支持してある。
なお、太い方のワイヤー１２のみ、又は細い方のワイヤー１３のみでも差し支えない。
【００１７】
図４は、ワイヤーのビーズから突出した部位の違いを示す側面図であり、（１）のように、突出した部分が長い場合は、そのまま直線状に伸ばしてもよいが、三角や星形などに加工してもよい。
（２）のように、突出した部分１１が短い場合は、「く」の字状に屈曲させただけでも足りるが、押しつぶすなどの加工を行なってもよい。
【００１８】
図５は、ワイヤー１のビーズ２から突出した部位をデザイン化した実施形態であり、ワイヤー１を折り曲げる箇所を変えることにより、意図する位置にビーズ２を止めている。そして、（１）は下の方に留め、かつビーズ２から突出した部分を「く」の字に形成してある。（２）は中間に留めており、しかも波形に形成してある。（３）は上の方に留めており、しかも螺旋状に巻いてある。
【００１９】
図６は、ワイヤー１の断面形状の種類であり、（１）はスクェアー（四角）、（２）はハーフラウンド（半円）、（３）は三角、（４）はラウンド（円）である。また、ワイヤー１の材質は、金、銀、銅、ステンレス、チタンなどがあり、ビーズ２だけでなく、ワイヤー１の形状や色も使い分けできる。なお、ビーズも材質はいろいろである。
【００２０】
図７のように複雑なデザインも可能である。（１）のようにワイヤー１を立方体に連結し、各ワイヤー１…はビーズ２に挿通してある。（２）は、ワイヤー１をジグザグに曲げて、その右上から右下の一方向のみにビーズ２を設け、他の一方向すなわち左上から右下方向にはビーズ２を設けないで開けてある。そして、ワイヤー１の少なくとも一端側すなわち下端１６には、前記の脱落防止形状を設けてある。
【００２１】
図８は、いろんなバリエーションを持ったデザインが可能な例を示している。（１）は、ワイヤー１を円状に形成した例であり、ビーズ２の下側に脱落防止形状を設けてある。（２）は、ワイヤー１を楕円状に形成した例である。（３）は、３本に枝分かれした形状に形成したワイヤーであり、鈍角に形成した脱落防止形状でビーズ２の抜け止めをしている。（４）は、２本の分岐枝状のワイヤー１のそれぞれにビーズ２を設け、鈍角の抜け止めで脱落を阻止している。
【００２２】
図９は、鈍角に屈曲させる場合に、曲げ部が目立たないように小さくした例であり、鈍角の屈曲部１７の両側を直ちに元の直線状に戻した形状をしている。この場合、Ｖ字状の山になるが、その高さｈがビーズ２の中心穴３の内径より大きいことを条件とする。屈曲部１７より下側１１の部位は、ビーズ２と調和の取れたデザインにしたり加工したりもできる。なお、屈曲部１７の折り曲げ角度αは鈍角であれば足り、具体的にはデザインなどを考慮して決める。また、Ｖ字形の両側は鎖線のように湾曲させても良い。
【００２３】
本発明により得られる効果を要約すると、市販の専用パーツを使用しなくてもビーズをワイヤーに留められる。ビーズをワイヤーの太さや長さに合わせて留められる。ビーズをワイヤーの意図する位置に留められる。ビーズとワイヤーの組合わせをシンプルに出来る。ビーズだけでなくワイヤーの色や光沢を美しく見せられる。ビーズの中心穴の大小に関わらず留められる。複雑なデザインが可能である。バリエーションを持ったデザインが可能である。
【産業上の利用可能性】
【００２４】
以上のように、ビーズ２の中心穴に挿通したワイヤー１を前記ビーズ２の外部で鈍角に曲げたり前記ビーズが抜けない曲率で湾曲させてあるので、鋭角に曲げたり環状に曲げるなど、急変させる必要はなく、専用の道具が無くても素人でも加工できる。しかも、ビーズ２から突出した部分を利用してデザイン化したり、多様な楽しみ方ができる。用途は耳飾り、バョグ類、衣類、身の回り品に適しているが、これら以外の装飾にも適用できる。
【符号の説明】
【００２５】
１、１２、１３  ワイヤー（金属線材）
１１  ビーズの外に突出した部分
１４、１５  湾曲部位
１６  ワイヤー下端
１７  鈍角の屈曲部
２、２１、２２、２３…、２４…ビーズ
３、３１、３２  中心穴
【図１】
2015203170.tif 000003
【図２】
2015203170.tif 000004
【図３】
2015203170.tif 000005
【図４】
2015203170.tif 000006
【図５】
2015203170.tif 000007
【図６】
2015203170.tif 000008
【図７】
2015203170.tif 000009
【図８】
2015203170.tif 000010
【図９】
2015203170.tif 000011
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
ビーズの中心穴に挿通したワイヤーを、前記ビーズの中心穴の片方の開口の外で鈍角に曲げた構成において、
前記ビーズとは反対側のワイヤーを逆向きに屈曲し、その屈曲部の他方も逆向きに曲げてＶ字状とし、前記Ｖ字状の山の高さがビーズの前記中心穴の内径より大きく、前記ビーズの外径より小さいことを特徴とするビーズの脱落防止形状。
【請求項２】
前記Ｖ字状の山とビーズに挿通された部分との間の曲げた部位、並びに前記Ｖ字状の山とビーズに挿通されていない部分との間の曲げた部位を、湾曲させてあることを特徴とする請求項１に記載のビーズの脱落防止形状。
【請求項３】
ビーズの中心穴に挿通したワイヤーを、前記ビーズの中心穴の片方の開口の外で鈍角に曲げると共に、
前記ビーズとは反対側のワイヤーを逆向きに屈曲し、その屈曲部の他方も逆向きに曲げてＶ字状とし、前記Ｖ字状の山の高さをビーズの前記中心穴の内径より大きく、前記ビーズの外径より小さくすることを特徴とするビーズの脱落防止形状の作製方法。
【請求項４】
前記Ｖ字状の山とビーズに挿通された部分との間の曲げた部位、並びに前記Ｖ字状の山とビーズに挿通されていない部分との間の曲げた部位を、湾曲させることを特徴とする請求項３に記載のビーズの脱落防止形状の作製方法。
【手続補正２】
【補正対象書類名】明細書
【補正対象項目名】全文
【補正方法】変更
【補正の内容】
【発明の詳細な説明】
【技術分野】
【０００１】
本発明は、各種のビーズを脱落不能に支持する手段に関し、より詳しくは、ビーズに金属ワイヤーを通し、かつ僅かにすなわち鈍角に又は円弧状に曲げて脱落を防ぐ形状に関する。なおビーズは、耳飾りやバッグの装飾など各種の装飾に使用される。
【背景技術】
【０００２】
一般にビーズに開けられた中心穴に、針金状のワイヤーを通した上で、ワイヤーからビーズが脱落しないように、ワイヤーの端部をリング状に曲げたりＴ字状の脱落防止器を設けたりしている。
ところが、このような従来技術では、ワイヤー端部が露出して美観が損なわれたり、ワイヤー先端が肌に刺さったりする危険がある。また、ワイヤーとして、剛性が高いばね用ステンレス鋼線やピアノ線等が使用されていたため、加工がし難く、特に、小さなビーズを使用する場合は、そのビーズの径にあわせて、端部を加工しなければならないため、よりその加工が難しかった。
このような問題を解決するべく、特許文献１のように、ワイヤーとして形状記憶合金を使用すると共に、前記ワイヤーの端部の屈曲した部分をビーズの通し穴の中に位置させ、この形状記憶合金ワイヤーの曲げにより発生する応力は、ワイヤー端部を通し穴の内面に押しつけ、それによってワイヤー端部が通し穴の内部で固定される。
【先行技術文献】
【特許文献】
【０００３】
【特許文献１】特開２０００−８０５４６
【発明の概要】
【発明が解決しようとする課題】
【０００４】
しかしながら、特許文献１のような技術では、ワイヤーが形状記憶合金に限られ、しかも使用温度が限定されるため、使用に際して注意を要する。さらに、ビーズからワイヤーが突出して、特殊な美的形状を形成するなどの装飾的工夫が不可能である。
本発明の技術的課題は、このような問題に着目し、ビーズに通すワイヤーを僅かに、すなわち鈍角又は円弧状に曲げることでビーズの抜け止めとし、ビーズから突出したワイヤーもデザインとして機能するようにする。
【課題を解決するための手段】
【０００５】
請求項１は、ビーズの中心穴に挿通したワイヤーを、前記ビーズの中心穴の片方の開口の外で鈍角に曲げた構成において、
前記ビーズとは反対側のワイヤーを逆向きに屈曲し、その屈曲部の他方も逆向きに曲げてＶ字状とし、前記Ｖ字状の山の高さがビーズの前記中心穴の内径より大きく、前記ビーズの外径より小さいことを特徴とするビーズの脱落防止形状である。
【０００６】
請求項２は、前記Ｖ字状の山とビーズに挿通された部分との間の曲げた部位、並びに前記Ｖ字状の山とビーズに挿通されていない部分との間の曲げた部位は、湾曲させてあることを特徴とする請求項１に記載のビーズの脱落防止形状である。
【０００７】
請求項３は、ビーズの中心穴に挿通したワイヤーを、前記ビーズの中心穴の片方の開口の外で鈍角に曲げると共に、
前記ビーズとは反対側のワイヤーを逆向きに屈曲し、その屈曲部の他方も逆向きに曲げてＶ字状とし、前記Ｖ字状の山の高さをビーズの前記中心穴の内径より大きく、前記ビーズの外径より小さくすることを特徴とするビーズの脱落防止形状の作製方法である。
【０００８】
請求項４は、前記Ｖ字状の山とビーズに挿通された部分との間の曲げた部位、並びに前記Ｖ字状の山とビーズに挿通されていない部分との間の曲げた部位を、湾曲させることを特徴とする請求項３に記載のビーズの脱落防止形状の作製方法である。
【発明の効果】
【０００９】
請求項１のように、ビーズの中心穴に挿通したワイヤーを、前記ビーズの中心穴の片方の開口の外で鈍角に曲げた構成において、前記ビーズとは反対側のワイヤーを逆向きに屈曲し、その屈曲部の他方も逆向きに曲げてＶ字状とし、前記Ｖ字状の山の高さをビーズの前記中心穴の内径より大きくしてあるので、ビーズの脱落を防止できる。また、図９のように、前記ビーズの外径より小さくして、曲げ部が目立たないように小さくしてある。すなわち、鈍角の屈曲部１７の両側を直ちに元の直線状に戻した形状をしている。
【００１０】
請求項２のように、前記Ｖ字状の山とビーズに挿通された部位との間、並びに前記Ｖ字状の山とビーズに挿通されていない部位との間は、鎖線のように湾曲させてもよい。
【００１１】
請求項３によると、ビーズの中心穴に挿通したワイヤーを、前記ビーズの中心穴の片方の開口の外で鈍角に曲げると共に、
前記ビーズとは反対側のワイヤーを逆向きに屈曲し、その屈曲部の他方も逆向きに曲げてＶ字状とし、前記Ｖ字状の山の高さをビーズの前記中心穴の内径より大きくする作製方法であるため、ビーズの脱落を防止できる。また、前記ビーズの外径より小さくして、曲げ部が目立たないように小さくしてある。すなわち、鈍角の屈曲部１７の両側を直ちに元の直線状に戻した形状をしている。
【００１２】
請求項４のように、前記Ｖ字状の山とビーズに挿通された部分との間の曲げた部位、並びに前記Ｖ字状の山とビーズに挿通されていない部分との間の曲げた部位を、湾曲させる作製方法も可能である。
【図面の簡単な説明】
【００１３】
【図１】ワイヤーを鈍角に折り曲げる例として、「くの字」状に曲げる場合を示す断面図である。
【図２】中心穴の内径が異なる複数のビーズにワイヤーを挿通した実施形態である。
【図３】太さの異なる２本のワイヤーを異なるビーズに挿通した実施形態を示す側面図である。
【図４】ワイヤーのビーズから突出した部位を示す側面図である。
【図５】ワイヤーのビーズから突出した部位をデザイン化した側面図である。
【図６】ワイヤーの断面形状を例示した正面図である。
【図７】立方体状やジグザグ状などの複雑なデザインにした実施形態の側面図である。
【図８】円形や楕円形、分岐状などのバリエーションを持ったデザインを例示した側面図である。
【図９】鈍角の屈曲部をＶ字状に形成した断面図である。
【発明を実施するための形態】
【００１４】
次に本発明によるビーズの脱落防止形状が実際上どのように具体化されるか実施形態で説明する。図１は、ワイヤー１を鈍角に折り曲げた例であり、「くの字」状に曲げてある。折り曲げて屈曲させる場合は、鈍角で有れば足りるが、ビーズ２が脱落しないことが条件である。また、ビーズ２の中心穴３の内径は、ワイヤー１の外径より僅かに大きい程度が適している。すなわち、ビーズ２が容易にスライドできる範囲で小径の方がよい。
このように、鈍角にワイヤー１を曲げてあるので、折り曲げ部分が脱落を阻止し、しかも鈍角に曲げてあるので、ビーズ２の外に突出した部分１１がビーズ２と一体的にデザイン化でき、加工したりもできる。
【００１５】
図２は、中心穴３の内径が３１、３２のように異なる複数のビーズ２１、２２にワイヤー１を挿通した実施形態であり、中心穴の内径のより小さいビーズ２１を前記ワイヤー１の先端寄りに配置し、ビーズ２１から突出した部分に脱落防止形状を設けてある。
すなわち、ビーズ２１から突出すると直ちに「くの字」状に曲げてあり、次いで逆方向に円弧状に曲げてある。そして余った部分１１は、図示実施形態では真っ直ぐに伸びているが、任意に曲げてデザイン的に表現してもよい。
【００１６】
図３は、太さの異なる２本のワイヤー１２、１３を異なる複数のビーズ２３…２４…に挿通した実施形態であり、ワイヤー１２、１３を弧状に湾曲させること
で脱落を防止している。１４、１５が湾曲部位である。ビーズ２３…、２４…のように複数個であっても、大きな荷重が作用するわけでは無いので、曲率の小さな湾曲でも、脱落を防止できる。
細いワイヤー１３の先端を環状に形成して、その中に、太い方のワイヤー１２の先端を挿通してもよいが、単に交差させてもよい。
両ワイヤー１２、１３の上端は、耳たぶを挟む「つ」の字状のバネ部４の一端に支持してある。
なお、太い方のワイヤー１２のみ、又は細い方のワイヤー１３のみでも差し支えない。
【００１７】
図４は、ワイヤーのビーズから突出した部位の違いを示す側面図であり、（１）のように、突出した部分が長い場合は、そのまま直線状に伸ばしてもよいが、三角や星形などに加工してもよい。
（２）のように、突出した部分１１が短い場合は、「く」の字状に屈曲させただけでも足りるが、押しつぶすなどの加工を行なってもよい。
【００１８】
図５は、ワイヤー１のビーズ２から突出した部位をデザイン化した実施形態であり、ワイヤー１を折り曲げる箇所を変えることにより、意図する位置にビーズ２を止めている。そして、（１）は下の方に留め、かつビーズ２から突出した部分を「く」の字に形成してある。（２）は中間に留めており、しかも波形に形成してある。（３）は上の方に留めており、しかも螺旋状に巻いてある。
【００１９】
図６は、ワイヤー１の断面形状の種類であり、（１）はスクェアー（四角）、（２）はハーフラウンド（半円）、（３）は三角、（４）はラウンド（円）である。また、ワイヤー１の材質は、金、銀、銅、ステンレス、チタンなどがあり、ビーズ２だけでなく、ワイヤー１の形状や色も使い分けできる。なお、ビーズも材質はいろいろである。
【００２０】
図７のように複雑なデザインも可能である。（１）のようにワイヤー１を立方体に連結し、各ワイヤー１…はビーズ２に挿通してある。（２）は、ワイヤー１をジグザグに曲げて、その右上から右下の一方向のみにビーズ２を設け、他の一方向すなわち左上から右下方向にはビーズ２を設けないで開けてある。そして、ワイヤー１の少なくとも一端側すなわち下端１６には、前記の脱落防止形状を設けてある。
【００２１】
図８は、いろんなバリエーションを持ったデザインが可能な例を示している。（１）は、ワイヤー１を円状に形成した例であり、ビーズ２の下側に脱落防止形状を設けてある。（２）は、ワイヤー１を楕円状に形成した例である。（３）は、３本に枝分かれした形状に形成したワイヤーであり、鈍角に形成した脱落防止形状でビーズ２の抜け止めをしている。（４）は、２本の分岐枝状のワイヤー１のそれぞれにビーズ２を設け、鈍角の抜け止めで脱落を阻止している。
【００２２】
図９は、鈍角に屈曲させる場合に、曲げ部が目立たないように小さくした例であり、鈍角の屈曲部１７の両側を直ちに元の直線状に戻した形状をしている。この場合、Ｖ字状の山になるが、その高さｈがビーズ２の中心穴３の内径より大きいことを条件とする。屈曲部１７より下側１１の部位は、ビーズ２と調和の取れたデザインにしたり加工したりもできる。なお、屈曲部１７の折り曲げ角度αは鈍角であれば足り、具体的にはデザインなどを考慮して決める。また、Ｖ字形の両側は鎖線のように湾曲させても良い。
【００２３】
本発明により得られる効果を要約すると、市販の専用パーツを使用しなくてもビーズをワイヤーに留められる。ビーズをワイヤーの太さや長さに合わせて留められる。ビーズをワイヤーの意図する位置に留められる。ビーズとワイヤーの組合わせをシンプルに出来る。ビーズだけでなくワイヤーの色や光沢を美しく見せられる。ビーズの中心穴の大小に関わらず留められる。複雑なデザインが可能である。バリエーションを持ったデザインが可能である。
【産業上の利用可能性】
【００２４】
以上のように、ビーズ２の中心穴に挿通したワイヤー１を前記ビーズ２の外部で鈍角に曲げたり前記ビーズが抜けない曲率で湾曲させてあるので、鋭角に曲げ
たり環状に曲げるなど、急変させる必要はなく、専用の道具が無くても素人でも加工できる。しかも、ビーズ２から突出した部分を利用してデザイン化したり、多様な楽しみ方ができる。用途は耳飾り、バョグ類、衣類、身の回り品に適しているが、これら以外の装飾にも適用できる。
【符号の説明】
【００２５】
１、１２、１３  ワイヤー（金属線材）
１１  ビーズの外に突出した部分
１４、１５  湾曲部位
１６  ワイヤー下端
１７  鈍角の屈曲部
２、２１、２２、２３…、２４…ビーズ
３、３１、３２  中心穴
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばしてあることを特徴とするビーズの脱落防止形状。
【請求項２】
ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばし、しかも前記のＶ字状の両端の曲げ部を湾曲させてあることを特徴とするビーズの脱落防止形状。
【請求項３】
ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばすことを特徴とするビーズの脱落防止形状の作製方法。
【請求項４】
ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばし、しかも前記のＶ字状の両端の曲げ部を湾曲させることを特徴とするビーズの脱落防止形状の作製方法。
【手続補正２】
【補正対象書類名】明細書
【補正対象項目名】全文
【補正方法】変更
【補正の内容】
【発明の詳細な説明】
【技術分野】
【０００１】
本発明は、各種のビーズを脱落不能に支持する手段に関し、より詳しくは、ビーズに金属ワイヤーを通し、かつ僅かにすなわち鈍角に又は円弧状に曲げて脱落を防ぐ形状に関する。なおビーズは、耳飾りやバッグの装飾など各種の装飾に使用される。
【背景技術】
【０００２】
一般にビーズに開けられた中心穴に、針金状のワイヤーを通した上で、ワイヤーからビーズが脱落しないように、ワイヤーの端部をリング状に曲げたりＴ字状の脱落防止器を設けたりしている。
ところが、このような従来技術では、ワイヤー端部が露出して美観が損なわれたり、ワイヤー先端が肌に刺さったりする危険がある。また、ワイヤーとして、剛性が高いばね用ステンレス鋼線やピアノ線等が使用されていたため、加工がし難く、特に、小さなビーズを使用する場合は、そのビーズの径にあわせて、端部を加工しなければならないため、よりその加工が難しかった。
このような問題を解決するべく、特許文献１のように、ワイヤーとして形状記憶合金を使用すると共に、前記ワイヤーの端部の屈曲した部分をビーズの通し穴の中に位置させ、この形状記憶合金ワイヤーの曲げにより発生する応力は、ワイヤー端部を通し穴の内面に押しつけ、それによってワイヤー端部が通し穴の内部で固定される。
【先行技術文献】
【特許文献】
【０００３】
【特許文献１】特開２０００−８０５４６
【発明の概要】
【発明が解決しようとする課題】
【０００４】
しかしながら、特許文献１のような技術では、ワイヤーが形状記憶合金に限られ、しかも使用温度が限定されるため、使用に際して注意を要する。さらに、ビーズからワイヤーが突出して、特殊な美的形状を形成するなどの装飾的工夫が不可能である。
本発明の技術的課題は、このような問題に着目し、ビーズに通すワイヤーを僅かに、すなわち鈍角又は円弧状に曲げることでビーズの抜け止めとし、ビーズから突出したワイヤーもデザインとして機能するようにする。
【課題を解決するための手段】
【０００５】
請求項１は、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばしてあることを特徴とするビーズの脱落防止形状である。                                          
【０００６】
請求項２は、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばし、しかも前記のＶ字状の両端の曲げ部を湾曲させてあることを特徴とするビーズの脱落防止形状である。
【０００７】
請求項３は、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばすことを特徴とするビーズの脱落防止形状の作製方法である。
【０００８】
請求項４は、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくすると共に前記Ｖ字状のビーズとは反対側を延ばし、しかも前記のＶ字状の両端の曲げ部を湾曲させることを特徴とするビーズの脱落防止形状の作製方法である。
である。
【発明の効果】
【０００９】
請求項１のように、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくするので、ビーズの脱落を防止できる。また、図９のように、前記ビーズの外径より小さくして、曲げ部が目立たないように小さくしてある。すなわち、鈍角の屈曲部１７の両側を直ちに元の直線状に戻した形状をしている。
【００１０】
請求項２のように、Ｖ字状の両端の曲げ部を湾曲させて、Ｖ字状の山とビーズに挿通された部位との間、並びに前記Ｖ字状の山とビーズに挿通されていない部位との間は、鎖線のように湾曲させてもよい。
【００１１】
請求項３によると、ビーズの中心穴に挿通したワイヤーを、前記ビーズの中心穴の片方の開口の外で鈍角に曲げ、さらに前記ビーズの外径を越えない範囲で逆向きに屈曲させ、その屈曲部から先端側も逆向きに曲げてＶ字状とし、前記Ｖ字状の山の高さをビーズの前記中心穴の内径より大きくする作製方法であるため、ビーズの脱落を防止できる。また、前記ビーズの外径より小さくして、曲げ部が目立たないように小さくしてある。すなわち、鈍角の屈曲部１７の両側を直ちに元の直線状に戻した形状をしている。
【００１２】
請求項４のように、前記のＶ字状の両端の曲げ部を湾曲させて、前記Ｖ字状の山とビーズに挿通された部分との間の曲げた部位、並びに前記Ｖ字状の山とビーズに挿通されていない部分との間の曲げた部位を、湾曲させる作製方法も可能である。
【図面の簡単な説明】
【００１３】
【図１】ワイヤーを鈍角に折り曲げる例として、「くの字」状に曲げる場合を示す断面図である。
【図２】中心穴の内径が異なる複数のビーズにワイヤーを挿通した実施形態である。
【図３】太さの異なる２本のワイヤーを異なるビーズに挿通した実施形態を示す側面図である。
【図４】ワイヤーのビーズから突出した部位を示す側面図である。
【図５】ワイヤーのビーズから突出した部位をデザイン化した側面図である。
【図６】ワイヤーの断面形状を例示した正面図である。
【図７】立方体状やジグザグ状などの複雑なデザインにした実施形態の側面図である。
【図８】円形や楕円形、分岐状などのバリエーションを持ったデザインを例示した側面図である。
【図９】鈍角の屈曲部をＶ字状に形成した断面図である。
【発明を実施するための形態】
【００１４】
次に本発明によるビーズの脱落防止形状が実際上どのように具体化されるか実施形態で説明する。図１は、ワイヤー１を鈍角に折り曲げた例であり、「くの字」状に曲げてある。折り曲げて屈曲させる場合は、鈍角で有れば足りるが、ビーズ２が脱落しないことが条件である。また、ビーズ２の中心穴３の内径は、ワイヤー１の外径より僅かに大きい程度が適している。すなわち、ビーズ２が容易にスライドできる範囲で小径の方がよい。
このように、鈍角にワイヤー１を曲げてあるので、折り曲げ部分が脱落を阻止し、しかも鈍角に曲げてあるので、ビーズ２の外に突出した部分１１がビーズ２と一体的にデザイン化でき、加工したりもできる。
【００１５】
図２は、中心穴３の内径が３１、３２のように異なる複数のビーズ２１、２２にワイヤー１を挿通した実施形態であり、中心穴の内径のより小さいビーズ２１を前記ワイヤー１の先端寄りに配置し、ビーズ２１から突出した部分に脱落防止形状を設けてある。
すなわち、ビーズ２１から突出すると直ちに「くの字」状に曲げてあり、次いで逆方向に円弧状に曲げてある。そして余った部分１１は、図示実施形態では真っ直ぐに伸びているが、任意に曲げてデザイン的に表現してもよい。
【００１６】
図３は、太さの異なる２本のワイヤー１２、１３を異なる複数のビーズ２３…２４…に挿通した実施形態であり、ワイヤー１２、１３を弧状に湾曲させること
で脱落を防止している。１４、１５が湾曲部位である。ビーズ２３…、２４…のように複数個であっても、大きな荷重が作用するわけでは無いので、曲率の小さな湾曲でも、脱落を防止できる。
細いワイヤー１３の先端を環状に形成して、その中に、太い方のワイヤー１２の先端を挿通してもよいが、単に交差させてもよい。
両ワイヤー１２、１３の上端は、耳たぶを挟む「つ」の字状のバネ部４の一端に支持してある。
なお、太い方のワイヤー１２のみ、又は細い方のワイヤー１３のみでも差し支えない。
【００１７】
図４は、ワイヤーのビーズから突出した部位の違いを示す側面図であり、（１）のように、突出した部分が長い場合は、そのまま直線状に伸ばしてもよいが、三角や星形などに加工してもよい。
（２）のように、突出した部分１１が短い場合は、「く」の字状に屈曲させただけでも足りるが、押しつぶすなどの加工を行なってもよい。
【００１８】
図５は、ワイヤー１のビーズ２から突出した部位をデザイン化した実施形態であり、ワイヤー１を折り曲げる箇所を変えることにより、意図する位置にビーズ２を止めている。そして、（１）は下の方に留め、かつビーズ２から突出した部分を「く」の字に形成してある。（２）は中間に留めており、しかも波形に形成してある。（３）は上の方に留めており、しかも螺旋状に巻いてある。
【００１９】
図６は、ワイヤー１の断面形状の種類であり、（１）はスクェアー（四角）、（２）はハーフラウンド（半円）、（３）は三角、（４）はラウンド（円）である。また、ワイヤー１の材質は、金、銀、銅、ステンレス、チタンなどがあり、ビーズ２だけでなく、ワイヤー１の形状や色も使い分けできる。なお、ビーズも材質はいろいろである。
【００２０】
図７のように複雑なデザインも可能である。（１）のようにワイヤー１を立方体に連結し、各ワイヤー１…はビーズ２に挿通してある。（２）は、ワイヤー１をジグザグに曲げて、その右上から右下の一方向のみにビーズ２を設け、他の一方向すなわち左上から右下方向にはビーズ２を設けないで開けてある。そして、ワイヤー１の少なくとも一端側すなわち下端１６には、前記の脱落防止形状を設けてある。
【００２１】
図８は、いろんなバリエーションを持ったデザインが可能な例を示している。（１）は、ワイヤー１を円状に形成した例であり、ビーズ２の下側に脱落防止形状を設けてある。（２）は、ワイヤー１を楕円状に形成した例である。（３）は、３本に枝分かれした形状に形成したワイヤーであり、鈍角に形成した脱落防止形状でビーズ２の抜け止めをしている。（４）は、２本の分岐枝状のワイヤー１のそれぞれにビーズ２を設け、鈍角の抜け止めで脱落を阻止している。
【００２２】
図９は、鈍角に屈曲させる場合に、曲げ部が目立たないように小さくした例であり、鈍角の屈曲部１７の両側を直ちに元の直線状に戻した形状をしている。この場合、Ｖ字状の山になるが、その高さｈがビーズ２の中心穴３の内径より大きいことを条件とする。屈曲部１７より下側１１の部位は、ビーズ２と調和の取れたデザインにしたり加工したりもできる。なお、屈曲部１７の折り曲げ角度αは鈍角であれば足り、具体的にはデザインなどを考慮して決める。また、Ｖ字形の両側は鎖線のように湾曲させても良い。
【００２３】
本発明により得られる効果を要約すると、市販の専用パーツを使用しなくてもビーズをワイヤーに留められる。ビーズをワイヤーの太さや長さに合わせて留められる。ビーズをワイヤーの意図する位置に留められる。ビーズとワイヤーの組合わせをシンプルに出来る。ビーズだけでなくワイヤーの色や光沢を美しく見せられる。ビーズの中心穴の大小に関わらず留められる。複雑なデザインが可能である。バリエーションを持ったデザインが可能である。
【産業上の利用可能性】
【００２４】
以上のように、ビーズ２の中心穴に挿通したワイヤー１を前記ビーズ２の外部で鈍角に曲げたり前記ビーズが抜けない曲率で湾曲させてあるので、従来のように鋭角に曲げたり環状に曲げるなど、急変させる必要はなく、専用の道具が無くても素人でも加工できる。しかも、ビーズ２から突出した部分を利用してデザイン化したり、多様な楽しみ方ができる。用途は耳飾り、バョグ類、衣類、身の回り品に適しているが、これら以外の装飾にも適用できる。
【符号の説明】
【００２５】
１、１２、１３  ワイヤー（金属線材）
１１  ビーズの外に突出した部分
１４、１５  湾曲部位
１６  ワイヤー下端
１７  鈍角の屈曲部
２、２１、２２、２３…、２４…ビーズ
３、３１、３２  中心穴